(57)【要約】【課題】独立駆動型ビニール切断ユニット付きビニール一貫播種機を提供する。【解決手段】土壌を攪拌又は反転させて土塊を破砕する耕耘ユニットと、前記耕耘ユニットの後方に配置されて、耕耘された土で畝を形成し、畝の上部に種子を植え付けるための畝間を形成する畝成形ユニットと、前記畝成形ユニットの後方に隣設されて畝に種子を振り撒く播種ユニットと、前記播種ユニットの後方に配置されて、ビニールを畝に押し付けて畝に沿ってビニールを被覆するビニール被覆ユニットと、前記ビニール被覆ユニットの後方に配置されて、種子が外部に発芽可能なようにビニールに開口部を形成するビニール切断ユニットと、を備え、前記ビニール切断ユニットは、ビニール一貫播種機の移動速度とはそれぞれ独立して駆動されることを特徴とするビニール一貫播種機。【選択図】図１
2018143230.tif 000002
【特許請求の範囲】
【請求項１】
土壌を攪拌又は反転させて土塊を破砕する耕耘ユニットと、
前記耕耘ユニットの後方に配置されて、耕耘された土で畝を形成し、畝の上部に種子を植え付けるための畝間を形成する畝成形ユニットと、
前記畝成形ユニットの後方に隣設されて畝に種子を振り撒く播種ユニットと、
前記播種ユニットの後方に配置されて、ビニールを畝に押し付けて畝に沿ってビニールを被覆するビニール被覆ユニットと、
前記ビニール被覆ユニットの後方に配置されて、種子が外部に発芽可能なようにビニールに開口部を形成するビニール切断ユニットと、
を備え、
前記ビニール切断ユニットは、
ブレードが通過する貫通部が形成され、切断されるビニールを支持する切断受け台と、
前記切断受け台の表面の上に搬送されるビニールに種子の発芽のための開口部を形成するブレードと、
前記ブレードに回転力を伝える切断用モーターと、
前記切断用モーターの一方の側に係合された光センサーと、
前記切断用モーターの回転軸の一方の側に係合されたブレード位置識別板と、を備え、
前記ビニール切断ユニットは、ビニール一貫播種機の移動速度とはそれぞれ独立して駆動することを特徴とするビニール一貫播種機。
【請求項２】
前記切断受け台は、
前記ビニール一貫播種機の幅方向に円弧状に形成されたことを特徴とする請求項１に記載のビニール一貫播種機。
【請求項３】
前記ビニール切断ユニットは、
前記切断用モーターの回転軸が係合される貫通孔及び上下方向に高さ調節スロットが形成された切断用モーター支持板と、
前記切断用モーター支持板に係合される切断用モーター支持棒と、
前記切断用モーター支持板と前記切断用モーター支持棒とを係合させる締付部材と、
を備えることを特徴とする請求項１に記載のビニール一貫播種機。
【請求項４】
前記播種ユニットは、
前記種子が貯留され、上部に投入口が形成され、下部には排出口が形成されたホッパーと、
前記ホッパーの排出口の下部に配置され、外周面に前記種子が収容される溝部が形成された播種ロールと、
前記播種ロールに回転力を伝える播種用モーターと、
前記播種ロールの一方の側の表面の異物を除去することで、前記排出口から排出された種子を前記播種ロールに流入するように導く、前記播種ロールの一方の側の表面に接して配置されたブラシと、
前記播種ロールが回転されることに伴い、前記播種ロールから離脱された種子を前記畝に導くように前記播種ロールの下部に配設された播種ガイドと、
を備えることを特徴とする請求項１に記載のビニール一貫播種機。
【請求項５】
畝成形ユニットと、ビニール被覆ユニット及びビニール切断ユニットが係合されるフレームと、
一方の端は前記耕耘ユニットの背面に係合され、他方の端は前記畝成形ユニットに係合される後部カバーと、
を更に備え、
前記播種ユニットの下部は前記畝成形ユニットの上部に係合されることを特徴とする請求項１に記載のビニール一貫播種機。
【請求項６】
前記畝成形ユニット、播種ユニット、ビニール被覆ユニット及びビニール切断ユニットを昇降させる昇降ユニットを更に備え、
前記昇降ユニットは、一方の端が前記耕耘ユニットに係合されたシリンダーと、
前記シリンダーの内部を往復しながら前記畝成形ユニット、播種ユニット、ビニール被覆ユニット及びビニール切断ユニットに力を伝えるピストンと、
一方の端は前記ピストンの他方の端に係合され、他方の端は前記フレームに係合される第１の作動部材と、
一方の端は前記第１の作動部材に係合され、他方の端は前記後部カバーに係合される第２の作動部材と、
一方の端は前記後部カバーの側面に係合され、他方の端は前記フレームに係合される第３の作動部材と、
を備えることを特徴とする請求項５に記載のビニール一貫播種機。
【請求項７】
前記耕耘ユニットは、
土を耕耘するように組み込まれた回転ブレードを備え、
前記畝成形ユニットは、
畝を成形する培土機と、
前記培土機の上部に配設されて畝の上部に種子が配置される畝間を形成する培土犁と、
を備えることを特徴とする請求項１に記載のビニール一貫播種機。
【請求項８】
前記フレームに係合され、畝周りの土をビニールの両側に寄せ集めてビニールを固定する円板状の犁へらを更に備えることを特徴とする請求項５に記載のビニール一貫播種機。
【発明の詳細な説明】
【技術分野】
【０００１】
本発明は、ビニール一貫播種機に関する。
【背景技術】
【０００２】
一般に、種子を播種するときには、手作業、トラクター又は播種作業機械を用いて畑を耕耘する。また、土の水分の流出を防いで、種子の生長を促すために、ビニールで土を覆った後に、ビニールに穿孔して種子を植え付けて、更にビニールの端縁を土で覆っていた。
【０００３】
従来は、このような播種作業が農夫の手作業により必ず行われる必要があり、農夫への負担が大きかった。このような問題を改善するために農作物耕作用一貫作業機が開発された。
【０００４】
農作物耕作用一貫作業機は、土を耕耘するトラクターに播種一貫作業機が連結されたものである。農作物耕作用一貫作業機では、土を耕耘するとともに畝を形成し、種子の植え付けを実行し、種子がビニールの上に出芽されるようにビニールの播種部位を穿孔し、種子の生長を促すとともに除草が円滑に行われるように該ビニールで土を被覆し、風の影響を極力抑えるとともに雨水浸透を防ぐために該ビニールの端縁を覆土することを順次一括して行うことができる。
【先行技術文献】
【特許文献】
【０００５】
【特許文献１】韓国登録実用新案第２０−０３５２５６０号公報
【発明の概要】
【発明が解決しようとする課題】
【０００６】
しかしながら、従来の農作物耕作用一貫作業機は、ビニールの切断が一貫作業機の移動速度に連動して行われることから、所望の速度でビニールを切断することができなかった。加えて、切断される開口部の幅及び間隔をユーザーの意図通りに調節することができず、不便であった。
【０００７】
更に、播種ロールの表面上に形成された溝に種子が固着して播種作業が円滑に行われないという不都合さもあった。
【０００８】
また、たとえ耕耘作業のみを行いたい場合であっても、耕耘ユニットだけではなく、一貫作業機に係合された畝成形ユニットやビニール被覆ユニットなども一緒に移動するため、一貫作業機を使えないという問題があった。
【０００９】
以上の理由から、従来技術の問題を総合的に解決することのできるビニール一貫播種機の開発が切望されている。
【００１０】
本発明は上述したような問題を解消するために案出されたものであり、ビニール一貫播種機の移動速度とは独立してビニール切断ユニットが駆動される独立駆動型ビニール切断ユニット付きビニール一貫播種機を提供することを目的とする。
【課題を解決するための手段】
【００１１】
上記課題を解決するために、本発明のある観点によれば、土壌を攪拌又は反転させて土塊を破砕する耕耘ユニットと、前記耕耘ユニットの後方に配置されて、耕耘された土で畝を形成し、畝の上部に種子を植え付けるための畝間を形成する畝成形ユニットと、前記畝成形ユニットの後方に隣設されて畝に種子を振り撒く播種ユニットと、前記播種ユニットの後方に配置されて、ビニールを畝に押し付けて畝に沿ってビニールを被覆するビニール被覆ユニットと、前記ビニール被覆ユニットの後方に配置されて、種子が外部に発芽可能なようにビニールに開口部を形成するビニール切断ユニットと、を備え、前記ビニール切断ユニットは、ブレードが通過する貫通部が形成され、切断されるビニールを支持する切断受け台と、前記切断受け台の表面の上に搬送されるビニールに種子の発芽のための開口部を形成するブレードと、前記ブレードに回転力を伝える切断用モーターと、前記切断用モーターの一方の側に係合された光センサーと、前記切断用モーターの回転軸の一方の側に係合されたブレード位置識別板と、を備え、前記ビニール切断ユニットは、ビニール一貫播種機の移動速度とはそれぞれ独立して駆動することを特徴とするビニール一貫播種機が提供される。
【００１２】
また、本発明の前記切断受け台は、前記ビニール一貫播種機の幅方向に円弧状に形成されてもよい。
【００１３】
更にまた、本発明の前記ビニール切断ユニットは、前記切断用モーターの回転軸が係合される貫通孔及び上下方向に高さ調節スロットが形成された切断用モーター支持板と、前記切断用モーター支持板に係合される切断用モーター支持棒と、前記切断用モーター支持板と前記切断用モーター支持棒とを係合させる締付部材と、を備えてもよい。
【００１４】
更にまた、本発明の前記播種ユニットは、前記種子が貯留され、上部に投入口が形成され、下部には排出口が形成されたホッパーと、前記ホッパーの排出口の下部に配置され、外周面に前記種子が収容される溝部が形成された播種ロールと、前記播種ロールに回転力を伝える播種用モーターと、前記播種ロールの一方の側の表面の異物を除去することで、前記排出口から排出された種子を前記播種ロールに流入するように導く、前記播種ロールの一方の側の表面に接して配置されたブラシと、前記播種ロールが回転されることに伴い、前記播種ロールから離脱された種子を前記畝に導くように前記播種ロールの下部に配設された播種ガイドと、を備えてもよい。
【００１５】
更にまた、畝成形ユニットと、ビニール被覆ユニット及びビニール切断ユニットが係合されるフレームと、一方の端は前記耕耘ユニットの背面に係合され、他方の端は前記畝成形ユニットに係合される後部カバーと、を更に備え、前記播種ユニットの下部は前記畝成形ユニットの上部に係合されてもよい。
【００１６】
更にまた、前記畝成形ユニット、播種ユニット、ビニール被覆ユニット及びビニール切断ユニットを昇降させる昇降ユニットを更に備え、前記昇降ユニットは、一方の端が前記耕耘ユニットに係合されたシリンダーと、前記シリンダーの内部を往復しながら前記畝成形ユニット、播種ユニット、ビニール被覆ユニット及びビニール切断ユニットに力を伝えるピストンと、一方の端は前記ピストンの他方の端に係合され、他方の端は前記フレームに係合される第１の作動部材と、一方の端は前記第１の作動部材に係合され、他方の端は前記後部カバーに係合される第２の作動部材と、一方の端は前記後部カバーの側面に係合され、他方の端は前記フレームに係合される第３の作動部材と、を備えてもよい。
【００１７】
更にまた、本発明の前記耕耘ユニットは、土を耕耘するように組み込まれた回転ブレードを備え、  前記畝成形ユニットは、畝を成形する培土機と、前記培土機の上部に配設されて畝の上部に種子が配置される畝間を形成する培土犁と、を備えてもよい。
【００１８】
更にまた、前記フレームに係合され、畝周りの土をビニールの両側に寄せ集めてビニールを固定する円板状の犁へらを更に備えてもよい。
【発明の効果】
【００１９】
以上説明したように本発明に係るビニール一貫播種機は、一貫播種機の移動速度とはそれぞれ独立してビニール切断ユニットが駆動されるという効果を奏する。
【００２０】
上述したような効果とともに、本発明の具体的な効果は、以下の発明を実施するための具体的な事項について説明しながら一緒に記述する。
【図面の簡単な説明】
【００２１】
【図１】本発明に係るビニール一貫播種機の斜視図である。
【図２】本発明に係るビニール一貫播種機の側面図である。
【図３】本発明に係るビニール一貫播種機の平面図である。
【図４】本発明に係るビニール一貫播種機の背面図である。
【図５】本発明に係る播種ユニットの斜視図である。
【図６】本発明に係る播種ユニットが種子を排出する方式を説明する図である。
【図７】本発明に係るビニール切断ユニットの斜視図である。
【図８】本発明に係るビニール切断ユニットが開口部の幅を調節する方式を説明する図である。
【図９】本発明に係るビニール切断ユニットが開口部同士の距離を調節する方式を説明する図である。
【図１０】播種ホッパーが取り外された本発明に係るビニール一貫播種機の斜視図である。
【図１１】本発明に係るビニール一貫播種機の昇降動作を説明する図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
以下、本明細書の様々な実施形態について添付図面に基づいて記載する。しかしながら、これは、本明細書に記載された技術を特定の実施形態について限定するものではなく、本明細書の実施形態の様々な変更、均等物及び／又は代替物を含むものと理解されなければならない。図面の説明と関連して、類似の構成要素に対しては類似の参照符号が使用可能である。
【００２４】
また、本明細書において用いられた「第１の」「第２の」などの表現は、様々な構成要素を順序及び／又は重要度とは無関係に修飾することができ、ある構成要素を他の構成要素と区別するために用いられるものに過ぎず、当該構成要素を限定することはない。例えば、「第１の部分」及び「第２の部分」は、順序又は重要度とは無関係に、互いに異なる部分を示してもよい。例えば、本明細書に記載された権利範囲を逸脱しない範囲で、第１の構成要素は第２の構成要素と命名可能であり、これと同様に、第２の構成要素もまた第１の構成要素と命名可能である。
【００２５】
更に、本明細書において用いられた用語は、単に特定の実施形態を説明するために用いられたものであり、他の実施形態の範囲を限定する意図はない。単数の表現は、文脈からみて、特段の断りのない限り、複数の表現を含み得る。技術的若しくは科学的な用語をはじめとしてここで用いられる用語は、本明細書に記載された技術分野において通常の知識を有する者により一般的に理解される意味と同じ意味を有し得る。本明細書において用いられた用語のうち、一般的な辞書に定義された用語は、関連技術の文脈上の意味と同一又は類似の意味として解釈可能であり、本明細書において特段の断りのない限り、理想的若しくは過度に形式的な意味として解釈されない。場合によって、たとえ本明細書において定義された用語であっても、本明細書の実施形態を排除するものとして解釈可能である。
【００２６】
図１は、本発明に係るビニール一貫播種機の斜視図であり、図２は、本発明に係るビニール一貫播種機の側面図であり、図３は、本発明に係るビニール一貫播種機の平面図であり、図４は、本発明に係るビニール一貫播種機の背面図である。
【００２７】
本発明は、独立駆動型ビニール切断ユニット付きビニール一貫播種機に関し、更に詳しくは、ビニール切断ユニットをそれぞれ独立して駆動することで、ビニール一貫播種機の移動速度とは無関係にビニールが切断可能なビニール一貫播種機に関する。また、本発明は、昇降ユニットを備えることで、畝成形ユニット、播種ユニット、ビニール被覆ユニット及びビニール切断ユニットをそれぞれ昇降させることのできるビニール一貫播種機に関してもよい。
【００２８】
以下、図１から図４に基づいて独立駆動型ビニール切断ユニット付きビニール一貫播種機について説明する。
【００２９】
本発明に係るビニール一貫播種機は、耕耘ユニット２００、畝成形ユニット３００、播種ユニット４００、ビニール被覆ユニット５００及びビニール切断ユニット６００を備える。
【００３０】
耕耘ユニット２００は、土壌を攪拌又は反転させて土塊を細かく破砕して軟らかくする役割を果たす。
【００３１】
図４を参照すると、耕耘ユニット２００は、土を耕耘するように組み込まれた複数の回転ブレード２１０を備える。回転ブレード２１０は、耕耘ユニット２００の回転軸に係合されているため、回転ブレード２１０は、回転軸が回転するにつれて土に存在する砂利などの雑質を深く埋め、微細な土を上部に位置させることができる。
【００３２】
畝成形ユニット３００は、耕耘ユニット２００の後方に配置されて、耕耘された土で畝を形成し、畝の上部に種子４１０を植え付けるための畝間を形成する。
【００３３】
畝成形ユニット３００は、培土機３１０及び培土犁３２０を備える。
【００３４】
培土機３１０は畝状に形成されて、ビニール一貫播種機が前進するにつれて、培土機３１０の外部の土を押し出して畝を形成する。
【００３５】
また、培土機３１０の上部には培土犁３２０が形成される。培土犁３２０は、所定の角度で貼り合わせられた２枚の鉄板の尖った部分が前方を向くように配置されており、ビニール一貫播種機が前進するにつれて畝の上部に畝間を形成する。
【００３６】
所定の角度をなす培土犁３２０の２枚の鉄板の間には空間部が形成され、この空間部に後述する播種ユニット４００により種子４１０が振り撒かれる。
【００３７】
図５は、本発明に係る播種ユニット４００の斜視図であり、図６は、本発明に係る播種ユニット４００が種子４１０を排出する方式を説明する図である。
【００３８】
以下、図５及び図６に基づいて独立駆動型ビニール切断ユニット付きビニール一貫播種機について説明する。
【００３９】
播種ユニット４００は、畝成形ユニット３００の後方に隣設される。これは、畝成形ユニット３００により形成された畝の上に種子４１０を振り撒くためである。
【００４０】
播種ユニット４００は、ホッパー４２０、播種ロール４３０、播種用モーター４４０、ブラシ４５０及び播種ガイド４６０を備える。
【００４１】
ホッパー４２０には播種すべき種子４１０が貯留される。ホッパー４２０は、上部に投入口が形成され、下部には排出口が形成される。このため、投入口を介して投入された種子４１０は排出口を介して排出される。
【００４２】
ホッパー４２０から排出される種子４１０の量を制御するために播種ロール４３０が配設される。
【００４３】
播種ロール４３０は、ホッパー４２０の排出口の下部に配置される。播種ロール４３０の外周面には種子４１０が収容される溝部が形成される。
【００４４】
溝部の大きさは、播種ロール４３０の１回転あたりに播種しようとする種子４１０の量及び種子４１０の大きさを考慮して決定する。
【００４５】
このため、様々な種子４１０を播種する場合には、各場合に適した播種ロール４３０を備えることで、播種に当たって当該播種ロール４３０を取り付けて播種することができる。
【００４６】
播種用モーター４４０は、播種ロール４３０に回転力を伝える。播種ロール４３０を駆動するモーターをそれぞれ独立して備えることにより、播種間隔を制御することができる。すなわち、播種用モーター４４０が高速にて回転すると播種間隔が狭くなり、これとは反対に、播種用モーター４４０が低速にて回転すると播種間隔が広くなる。その結果、一貫播種機の移動速度とは無関係に播種間隔を制御することができる。
【００４７】
上述より、本発明の播種ユニット４００を有することで、播種間隔が調節可能である独立駆動型ビニール切断ユニット付きビニール一貫播種機を提供することができる。
【００４８】
ホッパー４２０の排出口から排出される種子４１０は、湿気などの要因により播種ロール４３０の溝部に固着される場合がある。溝部に種子４１０が固着されると、所望の量の種子４１０を播種することができない。
【００４９】
このような問題を解消するために、播種ロール４３０の一方の側の表面に接してブラシ４５０が取り付けられる。
【００５０】
播種ロール４３０の外周面に所定の圧力で密着されて取り付けられたブラシ４５０は、播種ロール４３０が回転するにつれて、溝部に固着された種子４１０を溝部から押し出すとともに、播種ロール４３０の外周面に付着した異物を除去する。
【００５１】
この構成により、播種ロールの溝に固着された種子を除去する独立駆動型ビニール切断ユニット付きビニール一貫播種機を提供できる。
【００５２】
ブラシ４５０は消耗部材であるため、取り替えのために締付部材によりホッパー４２０の排出口の一方の側に係合される。
【００５３】
播種ロール４３０の下部には播種ガイド４６０が係合される。播種ガイド４６０は、播種ロール４３０が回転するにつれて、播種ロール４３０から離脱された種子４１０を畝に導く。
【００５４】
ビニール被覆ユニット５００は、播種ユニット４００の後方に配置される。ビニール被覆ユニット５００は、ビニールロール５１０に巻き付けられたビニール１３０を繰り出し、ビニール１３０を畝に押し付けて畝に沿ってビニール１３０を被覆する。
【００５５】
図７は、本発明に係るビニール切断ユニット６００の斜視図であり、図８は、本発明に係るビニール切断ユニット６００が開口部の幅を調節する方式を説明する図であり、図９は、本発明に係るビニール切断ユニット６００が開口部同士の距離を調節する方式を説明する図である。
【００５６】
以下、図７から図９に基づいて独立駆動型ビニール切断ユニット付きビニール一貫播種機について説明する。
【００５７】
図７（ａ）は、ビニール１３０が取り付けられていない状態のビニール切断ユニット６００の斜視図であり、図７（ｂ）は、ビニール１３０が搬送される状態でビニール切断ユニット６００がビニール１３０を切断する動作を説明する図である。
【００５８】
ビニール１３０は、進入ロール５２０により押し付けられた状態で搬送され、ビニール切断ユニット６００により切断される。
【００５９】
ビニール切断ユニット６００は、切断受け台６１０と、ブレード６２０及び切断用モーター６３０を備える。
【００６０】
切断受け台６１０にはブレード６２０が通過する貫通部が形成され、切断すべきビニール１３０を支持する役割を果たす。
【００６１】
ブレード６２０は、切断受け台６１０の表面の上に搬送されるビニール１３０に種子４１０の発芽のための開口部を形成する。
【００６２】
従来のビニール切断ユニットは、ビニールが配置された受け台の表面の上をブレードが押し付けてビニールに開口部を形成していた。このようにブレードが受け台と直接的に衝突してブレードに衝撃が加えられることにより、ブレードが破損されてしまうという現象が頻発していた。
【００６３】
この理由から、本発明においては、切断受け台６１０に貫通部を形成し、切断受け台６１０をビニール一貫播種機の幅方向に円弧状に形成している。
【００６４】
図８（ｂ）に示すように、本発明においては、ブレード６２０が貫通部を通過する形状により、ブレード６２０に衝撃を与えることなくビニール１３０が切断される。
【００６５】
切断用モーター６３０は、ブレード６２０にそれぞれ独立して回転力を伝えて、ビニール一貫播種機の移動速度とは無関係にビニール切断速度を制御することができる。
【００６６】
切断用モーター６３０の回転速度が上がると、図９に示すビニール１３０の開口部同士の距離Ｌが短くなり、切断用モーター６３０の回転速度が下がると、開口部同士の距離Ｌが長くなる。
【００６７】
ビニール切断ユニット６００は、ブレード６２０の位置を認識するために、光センサー６７０及びブレード位置識別板６８０を備える。
【００６８】
光センサー６７０は、切断用モーター６３０の一方の側に係合され、光センサー６７０の発光部から発せられた光は、後述する切断用モーター支持板６４０に形成された貫通孔６９０を透過して投射され、ブレード位置識別板６８０から反射された光を受光部において受光してブレード６２０の位置を認識する。
【００６９】
ブレード６２０の位置を識別するための識別板をブレード６２０に取り付けてもよいが、光センサー６７０との離隔距離を短縮させて認識率を高めるために、別途のブレード位置識別板６８０を回転軸の一方の側に設ける。
【００７０】
ブレード位置識別板６８０は、切断用モーター６３０の回転軸にブレード６２０と１８０°の角度差を有するように設ける。これにより、ブレード位置識別板６８０から反射された光を感知して現在のブレード６２０の位置を正確に認識することができる。
【００７１】
ビニール切断ユニット６００は、切断用モーター支持板６４０と、切断用モーター支持棒６５０及び締付部材６６０を更に備える。
【００７２】
切断用モーター支持板６４０は、切断用モーター６３０の一方の側に係合される。切断用モーター支持板６４０には、切断用モーター６３０の回転軸が係合される貫通孔６９０と、上下方向に高さが調節可能な高さ調節スロットと、が形成される。
【００７３】
本発明に係るビニール切断ユニット６００では、開口部の幅を調節するためにブレード６２０の配設高さが調節される。
【００７４】
図８（ａ）を参照すると、切断用モーター支持棒６５０が、締付部材により、切断用モーター支持板６４０に形成された高さ調節スロットに沿って、係合される高さを調節されることで、ブレード６２０の配設高さが調節される。
【００７５】
図８（ｂ）に示すように、ブレード６２０の配設高さが低くなると開口部の幅は広くなり、これとは反対に、ブレード６２０の配設高さが高くなると開口部の幅が狭くなる。
【００７６】
また、切断受け台６１０が円弧状に形成されることにより、水平に形成された場合に比べて開口部の幅をより精度よく調節することができるという効果を奏す。
【００７７】
上述のビニール切断ユニット６００の構成により、ビニール開口部の幅及び間隔が調節可能である独立駆動型ビニール切断ユニット付きビニール一貫播種機を提供することができる。
【００７８】
更にまた、本発明のビニール一貫播種機は、ビニール一貫播種機の移動速度とは無関係にビニール開口部の幅及び間隔、並びに播種間隔が制御可能である独立駆動型ビニール切断ユニット付きビニール一貫播種機を提供することができる。
【００７９】
図１０は、播種ホッパーが取り外された本発明に係るビニール一貫播種機の斜視図であり、図１１は、本発明に係るビニール一貫播種機の昇降動作を説明する図である。
【００８０】
以下、 図１０及び図１１に基づいて独立駆動型ビニール切断ユニット付きビニール一貫播種機について説明する。
【００８１】
本発明に係るビニール一貫播種機にはフレーム１００が配設される。フレーム１００には車輪と、円板状の犁へら１２０と、畝成形ユニット３００と、ビニール被覆ユニット５００及びビニール切断ユニット６００が係合されて、これらの構成要素を支持する役割を果たす。
【００８２】
本発明に係るビニール一貫播種機には後部カバー１１０が配設される。後部カバー１１０の一方の端は前記耕耘ユニット２００の背面に係合され、他方の端は前記畝成形ユニット３００に係合される。
【００８３】
後部カバー１１０は、耕耘ユニット２００により耕耘された土が後方に飛散されることを防ぐ役割を果たす。耕耘された土が後方に飛散される場合、後方に配置されたビニール切断ユニット６００などに誤作動を引き起こす虞があるためである。
【００８４】
更に、播種ユニット４００の下部は前記畝成形ユニット３００の上部に係合される。
【００８５】
このように様々なユニットが係合されたビニール一貫播種機は、昇降ユニット７００を備えている。これにより、耕耘作業のみが求められる場合、畝成形ユニット３００と、播種ユニット４００と、ビニール被覆ユニット５００及びビニール切断ユニット６００を昇降させることができる。
【００８６】
昇降ユニット７００は、シリンダー７１０、ピストン７２０、第１の作動部材７３０、第２の作動部材７４０及び第３の作動部材７５０を備える。
【００８７】
シリンダー７１０は、一方の端が耕耘ユニットに係合され、内部をピストン７２０が往復する。
【００８８】
ピストン７２０は、シリンダー７１０の内部を往復しながら畝成形ユニット３００と、播種ユニット４００と、ビニール被覆ユニット５００及びビニール切断ユニット６００を昇降させるための力を伝える。
【００８９】
第１の作動部材７３０は、一方の端がピストン７２０の他方の端に係合され、他方の端は前記フレーム１００に係合されて、ピストン７２０からの力をフレーム１００に伝える。
【００９０】
第２の作動部材７４０は、一方の端は第１の作動部材７３０に係合され、他方の端は後部カバー１１０に係合されて、ピストン７２０からの力を後部カバー１１０に伝える。
【００９１】
第３の作動部材７５０は、一方の端は後部カバー１１０の側面に係合され、他方の端はフレーム１００に係合されて、後部カバー１１０及びフレーム１００を連動させる。
【００９２】
フレーム１００に係合された円板状の犁へら１２０は、畝周りの土をビニールの両側に寄せ集めてビニール１３０を固定する役割を果たす。
【００９３】
上述した構成により、畝成形ユニット、播種ユニット、ビニール被覆ユニット及びビニール切断ユニットを昇降させる昇降ユニットを更に備えた独立駆動型ビニール切断ユニット付きビニール一貫播種機を提供することができる。
【００９４】
また、本発明に係るビニール切断ユニットは、ビニール開口部の幅及び間隔が調節可能であるという効果を奏する。
【００９５】
更に、本発明に係るビニール一貫播種機は、播種ロールの溝に固着された種子を除去することができるという効果を奏する。
【００９６】
更にまた、本発明に係るビニール一貫播種機は、畝成形ユニット、播種ユニット、ビニール被覆ユニット及びビニール切断ユニットを昇降させることができるという効果を奏する。
【００９７】
以上、本発明の好適な実施形態について図示して説明したが、本発明は上述した特定の実施形態に何等限定されるものではなく、特許請求の範囲において請求する本発明の要旨を逸脱することなく、当該発明が属する技術分野において通常の知識を有する者により様々な変形実施が行えるということはいうまでもなく、このような変形実施形態は本発明の技術的思想や展望から個別的に理解されてはならない。
【符号の説明】
【００９８】
１００    フレーム
１１０    後部カバー
１２０    円板状の犁へら
１３０    ビニール
２００    耕耘ユニット
２１０    回転ブレード
３００    畝成形ユニット
３１０    培土機
３２０    培土犁
４００    播種ユニット
４１０    種子
４２０    ホッパー
４３０    播種ロール
４４０    播種用モーター
４５０    ブラシ
４６０    播種ガイド
５００    ビニール被覆ユニット
５１０    ビニールロール
５２０    進入ロール
６００    ビニール切断ユニット
６１０    切断受け台
６２０    ブレード
６３０    切断用モーター
６４０    切断用モーター支持板
６５０    切断用モーター支持棒
６６０    締付部材
６７０    光センサー
６８０    ブレード位置識別板
６９０    貫通孔
７００    昇降ユニット
７１０    シリンダー
７２０    ピストン
７３０    第１の作動部材
７４０    第２の作動部材
７５０    第３の作動部材
【図１】
2018143230.tif 000003
【図２】
2018143230.tif 000004
【図３】
2018143230.tif 000005
【図４】
2018143230.tif 000006
【図５】
2018143230.tif 000007
【図６】
2018143230.tif 000008
【図７】
2018143230.tif 000009
【図８】
2018143230.tif 000010
【図９】
2018143230.tif 000011
【図１０】
2018143230.tif 000012
【図１１】
2018143230.tif 000013